(57)【要約】【課題】  ユーザにカテゴリの決定権を与えることで、より精度高くユーザの好みのホームページを探すことを可能にする。【解決手段】  本発明は、ユーザにより入力されたカテゴリ名を取得し、カテゴリ名に基づいて関連語記憶手段を参照して、該カテゴリ名に対する関連語を決定し、決定された関連語に基づいて、該関連語を有するホームページを検索し、検索された結果を取得して検索結果記憶手段に格納し、検索結果記憶手段から検索結果を読み出して、更新が一定の期間の間に行われた新しいページの数、ページビューの数、結果の数を求め、それらに基づいて一定の個数の関連語を、表示手段上のカテゴリの周囲に表示し、表示された関連語の中からユーザが選択した関連語に対応するホームページを表示手段に表示する。【選択図】  図１
2006164044.tif 000002
【特許請求の範囲】
【請求項１】
ネットワーク上で公開されているＷｅｂページ情報から興味のある最新情報を入手しＷｅｂ上で表示するためのコンテンツ情報表示支援方法において、
ユーザにより入力されたカテゴリ名を取得するカテゴリ名取得ステップと、
前記カテゴリ名に基づいてカテゴリ毎に関連語が格納されている関連語記憶手段を参照して、該カテゴリ名に対する関連語を決定する関連語取得ステップと、
決定された前記関連語に基づいて、該関連語を有するホームページを検索する検索ステップと、
検索された結果を取得して検索結果記憶手段に格納する検索結果収集ステップと、
前記検索結果記憶手段から検索結果を読み出して、更新が一定の期間の間に行われた新しいページの数、ページビューの数、結果の数を求める検索結果分析収集ステップと、
前記更新が一定の期間の間に行われた新しいページの数、前記ページビューの数、前記結果の数に基づいて一定の個数の関連語を、表示手段上のカテゴリの周囲に表示する関連語表示ステップと、
表示された関連語の中から前記ユーザが選択した関連語に対応するホームページを前記表示手段に表示する表示制御ステップと、
を行うことを特徴とするコンテンツ情報表示支援方法。
【請求項２】
ネットワーク上で公開されているＷｅｂページ情報から興味のある最新情報を入手しＷｅｂ上で表示するためのコンテンツ情報表示支援装置であって、
カテゴリ毎に関連語が格納されている関連語記憶手段と、
ユーザにより入力されたカテゴリ名を取得するカテゴリ名取得手段と、
前記カテゴリ名に基づいて前記関連語記憶手段を参照して、該カテゴリ名に対する関連語を決定する関連語取得手段と、
決定された前記関連語に基づいて、該関連語を有するホームページを検索する検索手段と、
検索された結果を取得して検索結果記憶手段に格納する検索結果収集手段と、
前記検索結果記憶手段から検索結果を読み出して、更新が一定の期間の間に行われた新しいページの数、ページビューの数、結果の数を求める検索結果分析手段と、
前記更新が一定の期間の間に行われた新しいページの数、前記ページビューの数、前記結果の数に基づいて一定の個数の関連語を、表示手段上のカテゴリの周囲に表示する関連語表示手段と、
表示された関連語の中から前記ユーザが選択した関連語に対応するホームページを前記表示手段に表示する表示制御手段と、
を有することを特徴とするコンテンツ情報表示支援装置。
【請求項３】
ネットワーク上で公開されているＷｅｂページ情報から興味のある最新情報を入手しＷｅｂ上で表示するためのコンテンツ情報表示支援プログラムであって、
前記請求項１記載のコンテンツ情報表示支援方法を実現するための処理をコンピュータに実行させることを特徴とするコンテンツ情報表示支援プログラム。
【請求項４】
ネットワーク上で公開されているＷｅｂページ情報から興味のある最新情報を入手しＷｅｂ上で表示するためのコンテンツ情報表示支援プログラムを格納した記憶媒体であって、
前記請求項１記載のコンテンツ情報表示支援方法を実現するための処理をコンピュータに実行させるプログラムを格納したことを特徴とするコンテンツ情報表示支援プログラムを格納した記憶媒体。
【発明の詳細な説明】
【技術分野】
【０００１】
本発明は、コンテンツ情報表示支援方法及び装置及びプログラム及びプログラムを格納した記憶媒体に係り、特に、ネットワーク上で公開されているＷｅｂページから興味のある情報を入手するための検索・閲覧のためのコンテンツ情報表示支援方法及び装置及びプログラム及びプログラムを格納した記憶媒体に関する。
【背景技術】
【０００２】
ネットワーク上で公開されたホームページの中で新しいものを、予め決めておいたカテゴリに分類し、キーワードを表示する技術がある（例えば、非特許文献１参照）。
【非特許文献１】川島他、HotWindow:最新情報の話題性に着目した情報取得支援システム、インタラクション2004, pp. 231-232
【発明の開示】
【発明が解決しようとする課題】
【０００３】
しかしながら、従来は、ネットワーク上で公開されたホームページで新しいもののキーワードを表示する際、予め決められたカテゴリに分類されていたため、ユーザの好みにあったカテゴリというものを設定することができないという問題がある。
【０００４】
本発明は、上記の点に鑑みなされたもので、ユーザにカテゴリの決定権を与えることで、より精度高くユーザの好みのホームページを探すことが可能なコンテンツ情報表示支援方法及び装置及びプログラム及びプログラムを格納した記憶媒体を提供することを目的とする。
【課題を解決するための手段】
【０００５】
図１は、本発明の原理を説明するための図である。
【０００６】
本発明（請求項１）は、ネットワーク上で公開されているＷｅｂページ情報から興味のある最新情報を入手しＷｅｂ上で表示するためのコンテンツ情報表示支援方法において、
ユーザにより入力されたカテゴリ名を取得するカテゴリ名取得ステップ（ステップ１）と、
カテゴリ名に基づいてカテゴリ毎に関連語が格納されている関連語記憶手段を参照して、該カテゴリ名に対する関連語を決定する関連語取得ステップ（ステップ２）と、
決定された関連語に基づいて、該関連語を有するホームページを検索する検索ステップ（ステップ３）と、
検索された結果を取得して検索結果記憶手段に格納する検索結果収集ステップ（ステップ４）と、
検索結果記憶手段から検索結果を読み出して、更新が一定の期間の間に行われた新しいページの数、ページビューの数、結果の数を求める収集する検索結果分析ステップ（ステップ５）と、
更新が一定の期間の間に行われた新しいページの数、ページビューの数、結果の数に基づいて一定の個数の関連語を、表示手段上のカテゴリの周囲に表示する関連語表示ステップ（ステップ６）と、
表示された関連語の中からユーザが選択した関連語に対応するホームページを表示手段に表示する表示制御ステップ（ステップ７）と、を行う。
【０００７】
図２は、本発明の原理構成図である。
【０００８】
本発明（請求項２）は、ネットワーク上で公開されているＷｅｂページ情報から興味のある最新情報を入手しＷｅｂ上で表示するためのコンテンツ情報表示支援装置であって、
カテゴリ毎に関連語が格納されている関連語記憶手段１８と、
ユーザにより入力されたカテゴリ名を取得するカテゴリ名取得手段１１と、
カテゴリ名に基づいて関連語記憶手段１８を参照して、該カテゴリ名に対する関連語を決定する関連語取得手段１３と、
決定された関連語に基づいて、該関連語を有するホームページを検索する検索手段１４と、
検索された結果を取得して検索結果記憶手段１９に格納する検索結果収集手段１５と、
検索結果記憶手段１９から検索結果を読み出して、更新が一定の期間の間に行われた新しいページの数、ページビューの数、結果の数などを求める検索結果分析手段１５と、
更新が一定の期間の間に行われた新しいページの数、ページビューの数、結果の数に基づいて一定の個数の関連語を、表示手段上のカテゴリの周囲に表示する関連語表示手段１７と、
表示された関連語の中からユーザが選択した関連語に対応するホームページを表示手段に表示する表示制御手段２２と、を有する。
【０００９】
本発明（請求項３）は、ネットワーク上で公開されているＷｅｂページ情報から興味のある最新情報を入手しＷｅｂ上で表示するためのコンテンツ情報表示支援プログラムであって、請求項１記載のコンテンツ情報表示支援方法を実現するための処理をコンピュータに実行させる。
【００１０】
本発明（請求項４）は、ネットワーク上で公開されているＷｅｂページ情報から興味のある最新情報を入手しＷｅｂ上で表示するためのコンテンツ情報表示支援プログラムを格納した記憶媒体であって、請求項１記載のコンテンツ情報表示支援方法を実現するための処理をコンピュータに実行させるプログラムを格納した記憶媒体である。
【発明の効果】
【００１１】
上記のように、本発明によれば、ユーザにカテゴリの決定権を与えることで、より精度高くユーザの好みのホームページを探し出すことができる。
【発明を実施するための最良の形態】
【００１２】
以下、図面と共に本発明の実施の形態を説明する。
【００１３】
図３は、本発明の一実施の形態におけるシステム構成を示す。
【００１４】
同図に示すシステムは、コンテンツ情報表示支援装置１０、クライアント端末２０、ネットワーク３０から構成され、コンテンツ情報表示支援装置１０は、クライアント端末２０とネットワーク３０に接続されている構成である。
【００１５】
クライアント端末２０は、カテゴリ名を入力するカテゴリ名入力部２１、表示関連語を表示する関連語表示部２２を有する。
【００１６】
コンテンツ情報表示支援装置１０は、クライアント端末２０から入力されたカテゴリ名を分析するカテゴリ名理解部１１、関連語を検索する関連語検索部１２、検索された複数の関連語から関連語を決定する関連語決定部１３、決定された関連語に基づいて、ネットワーク３０上の検索を行うインターネット検索部１４、ネットワーク３０上での検索結果を取得する検索結果収集部１５、検索結果を時系列に分析する検索結果時系列分析部１６、分析結果に基づいてクライアント端末２０に送信する関連語を決定する表示関連語決定部１７、関連語を格納する関連語ＤＢ１８、検索結果を格納する検索結果ＤＢ１９と、を有する。
【００１７】
上記の構成における動作を説明する。
【００１８】
図４は、本発明の一実施の形態における基本動作のフローチャートである。
【００１９】
コンテンツ情報表示支援装置１０のカテゴリ名理解部１１に、クライアント端末２０のカテゴリ名入力部２１からユーザによってカテゴリ名が入力される（ステップ１０１）。
【００２０】
コンテンツ情報表示支援装置１０のカテゴリ名理解部１１において当該カテゴリ名を抽出する。カテゴリ名の抽出にあたり、クライアント端末２０から単語のみ入力された場合には、関連語検索部１２に当該単語を出力する。また、クライアント端末２０から複数の単語を含む文字列が入力された場合には、形態素解析し、単語に分割した後、関連語検索部１２に転送する。次に、関連語検索部１２は、カテゴリ名理解部１１から転送された単語に基づいて、関連語ＤＢ１８を検索し、関連語を取得し、関連語決定部１３に出力する。関連語決定部１３は、関連語検索部１２から複数の関連語が抽出された場合には、そのうち、１つを選択し、インターネット検索部１４に出力する（ステップ１０２）。
【００２１】
インターネット検索部１４は、関連語検索部１２から転送された関連語に基づいて、ネットワーク３０にアクセスすることによって当該関連語を持つホームページを検索する（ステップ１０３）。
【００２２】
検索結果収集部１５において、検索された結果を取得し検索結果ＤＢ１９に格納する。当該検索結果には、最終更新日時と、ホームページのカウンタの値とトータルのページ数が含まれる。次に、検索結果時系列分析部１６において、検索結果ＤＢ１９に格納されている検索結果を読み出し、一定の期間の間に更新された新しいページの数、ページビューの数、結果の数を求め、表示関連語決定部１７に転送する。表示関連語決定部１７は、検索結果時系列分析部１６から取得した情報から、ホームページの数が多い、または、ページビューが多い、または、新鮮なページの数が多い順に一定の数のホームページを選択し、当該ホームページのカテゴリ、関連語をクライアント端末２０に送信する（ステップ１０４）。
【００２３】
クライアント端末２０では、コンテンツ情報表示支援装置１０から送信された情報をメニューまたは、ポップアップ表示し、ユーザに選択させる（ステップ１０５）。
【００２４】
コンテンツ情報表示支援装置１０の表示関連語決定部１７は、ユーザから選択されたホームページに関するカテゴリと関連語をセットにして、クライアント端末２０の関連語表示部２２に転送する。これにより、関連語表示部２２は、カテゴリと関連語のセットを表示する。ユーザは、表示されている中からクリックすることにより選択し、ホームページを閲覧する（ステップ１０６）。
【実施例】
【００２５】
以下、図面の共に本発明の実施例を説明する。
【００２６】
以下、図３に示す構成及び、図４に示すフローチャートに沿って処理を説明する。
【００２７】
ステップ１０１）  クライアント端末２０からユーザによってカテゴリ「服」が入力される。
【００２８】
ステップ１０２）  コンテンツ情報表示支援装置１０のカテゴリ名理解部１１は、入力されたカテゴリの単語が「服」の１単語であるので、そのまま関連語検索部１２に転送する。関連語検索部１２では、「服」をキーとして、関連語ＤＢ１８を検索する。関連語ＤＢ１８の例を図５に示す。関連語ＤＢ１８は、語と関連語から構成され、「服」に対応する関連語として「ジャケット」「スカート」「セーター」「アンサンブル」が取得される。関連語決定部１３は、取得された検索結果「ジャケット」「スカート」「セーター」「アンサンブル」から１つの関連語を選択し、インターネット検索部１４に転送する。なお、関連語の選択については、取得された検索結果全てを選択してもよいし、関連語ＤＢ１８の関連語の並びが優先度順になっている場合には、先頭の関連語を選択してもよい。また、選択された関連語をクライアント端末２０に送信し、ユーザに選択させるようにしてもよい。
【００２９】
ステップ１０３）  インターネット検索部１４は、関連語決定部１３で決定された関連語に基づいて、ネットワーク３０にアクセスする。
【００３０】
ステップ１０４）  検索結果収集部１５において、ネットワーク３０から検索結果を取得する。検索結果には、最終更新日時と、ホームページのカウンタ値と、トータルのページ数が含まれる。これらの検索結果を検索結果ＤＢ１９に格納する。
【００３１】
次に、検索結果時系列分析部１６は、検索結果ＤＢ１９から検索結果を読み出し、更新が一定の期間の間に行われた新しいページ数、ページビューの数、結果の数を算出する。更新が一定の期間の間に行われた新しいページの数は、現在から最終更新日時を引算し、一定の数値（例えば、７日間など）の条件を満たすものの合計値である。これは新しい情報が多いページである。ページビューの数は、ホームページのカウンタの数値の合計値である。この値が高いほど人気があることを示している。結果の数は、ホームページの数により、そのコンテンツに深く興味を抱いている人の数を表している。これらの値を表示関連語決定部１７に転送する。
【００３２】
表示関連語決定部１７は、更新が一定の期間の間に行われた新しいページ数、ページビューの数、結果の数から上位Ｎ番目までのホームページのメニュー（または、ポップアップ）を選択し、クライアント端末２０に送信する。
【００３３】
ステップ１０６）  クライアント端末２０において、表示関連語決定部１７から送信されたホームページのメニューやポップアップされて表示された中から選択し、表示関連語決定部１７に送信する。これにより、表示関連語決定部１７は、ステップ１０１で入力されたカテゴリ名と、選択された内容に対応する関連語、当該関連語に対応するメニューに対するホームページのＵＲＬ等をクライアント端末２０に送信する。この結果、クライアント端末２０の関連語表示部２２には、図６に示すようなイメージでカテゴリ、関連語が表示される。これにより、ユーザが表示された関連語を選択することにより、該当するホームページが表示されることになる。図６の例では、楕円で囲まれた中の「カテゴリ」には「服」が表示され、関連語として「ジャケット」や「スカート」などが表示される。
【００３４】
なお、図４に示す動作をコンピュータのプログラムで構成し、そのプログラムをコンピュータを用いて実行できることはいうまでもなく、コンピュータでその機能を実現するためのプログラム、あるいは、コンピュータにその処理の手順を実行させるためのプログラムを、そのコンピュータが読み取り可能な記憶媒体、例えば、ＨＤＤ，ＭＯ，ＲＯＭ，メモリカード，ＣＤ，ＤＶＤ，リムーバブルディスクなどに記録して、保存したり、配布したりすることが可能である。
【００３５】
上記のプログラムは、インターネットや電子メールなど、ネットワークを通して提供することも可能である。
【００３６】
以上、本発明の代表的な実施の形態及び実施例を説明したが、本発明は上記の実施の形態及び実施例に限定されることなく、特許請求の範囲内において、種々変更・応用が可能である。
【産業上の利用可能性】
【００３７】
本発明は、ネットワーク上に公開されたＷｅｂページ上に公開されたＷｅｂページのキーワードをカテゴリ毎に分類して表示する技術に適用可能である。
【図面の簡単な説明】
【００３８】
【図１】本発明の原理を説明するための図である。
【図２】本発明の原理構成図である。
【図３】本発明の一実施の形態におけるシステム構成図である。
【図４】本発明の一実施の形態における基本動作のフローチャートである。
【図５】本発明の一実施例の関連語データベースの例である。
【図６】本発明の一実施例の関連語検索後の画面イメージ図である。
【符号の説明】
【００３９】
１０  コンテンツ情報表示支援装置
１１  カテゴリ名取得手段、カテゴリ名理解部
１２  関連語取得手段、関連語検索部
１３  関連語決定部
１４  検索手段、インターネット検索部
１５  検索結果集出手段、検索結果収集部
１６  検索結果分析手段、検索結果時系列分析部
１７  関連語表示手段、表示関連語決定部
１８  関連語記憶手段、関連語ＤＢ
１９  検索結果記憶手段、検索結果ＤＢ
２０  クライアント端末
２１  カテゴリ名入力部
２２  表示制御手段、関連語表示部
【図１】
2006164044.tif 000003
【図２】
2006164044.tif 000004
【図３】
2006164044.tif 000005
【図４】
2006164044.tif 000006
【図５】
2006164044.tif 000007
【図６】
2006164044.tif 000008